(57)【特許請求の範囲】
【請求項１】
複数の表示線と共通線とからなる複数の通信路に接続され、かつ前記複数の表示線のうち１つの表示線と前記共通線とからなる前記複数の通信路のうち１つの通信路に接続された子機から送信される信号を受信する自動火災報知システムの親機であって、
前記複数の表示線のそれぞれに接続される複数の表示線接続端子と、
前記共通線に接続される共通線接続端子と、
前記複数の表示線接続端子のそれぞれに電気的に接続され、前記複数の通信路のそれぞれの断線を検出して検出結果を出力する断線検出部と、
前記断線検出部と前記共通線接続端子との間に設けられ、制御信号に応じて開閉する開閉器と、
前記制御信号を出力して前記開閉器の開閉を制御する開閉制御部と、
前記断線検出部の前記検出結果に基づく情報を報知する報知部と、
前記開閉制御部及び前記報知部を制御する制御部と
を備え、
前記制御部は、前記開閉制御部に前記開閉器を閉状態にさせる通常モードと、前記開閉制御部に前記開閉器を閉状態から開状態にさせた後の前記断線検出部の前記検出結果に基づく情報を前記報知部から報知させるテストモードとを択一的に選択する
ことを特徴とする自動火災報知システムの親機。
【請求項２】
判断部をさらに備え、
前記判断部は、前記断線検出部の前記検出結果に基づいて、前記複数の表示線のうち前記共通線に接続されている表示線の数が所定値以上であるか否かを判断して判断結果を前記制御部に出力し、
前記制御部は、前記判断結果を前記報知部から報知させる
ことを特徴とする請求項１に記載の自動火災報知システムの親機。
【請求項３】
前記共通線接続端子及び前記開閉器を複数ずつ備え、
各前記共通線接続端子と各前記開閉器とが一対一で接続されており、
前記制御部は、各前記開閉器を１つずつ前記開閉制御部に開閉させ、各前記開閉器の開閉に基づく前記断線検出部の前記検出結果を前記報知部から報知させる
ことを特徴とする請求項１又は２に記載の自動火災報知システムの親機。
【請求項４】
前記断線検出部は、前記複数の通信路のうち断線を検出した通信路に対応する識別信号を出力し、
前記制御部は、前記複数の表示線接続端子のうち前記識別信号に対応する通信路に電気的に接続されている表示線接続端子を前記報知部から報知させる
ことを特徴とする請求項１〜３の何れか１項に記載の自動火災報知システムの親機。
【請求項５】
前記断線検出部は、前記複数の通信路のうち断線を検出した通信路の数を出力し、
前記制御部は、前記数を前記報知部から報知させる
ことを特徴とする請求項１〜４の何れか１項に記載の自動火災報知システムの親機。
【請求項６】
前記報知部は、表示装置を含む
ことを特徴とする請求項１〜５の何れか１項に記載の自動火災報知システムの親機。
【請求項７】
操作部をさらに備え、
前記制御部は、前記操作部での操作に応じて前記通常モードと前記テストモードとを択一的に選択する
ことを特徴とする請求項１〜６の何れか１項に記載の自動火災報知システムの親機。
【請求項８】
請求項１〜７の何れか１項に記載の自動火災報知システムの親機と、
前記複数の表示線のうち１つの表示線と前記共通線とに接続される子機と
を備えた
ことを特徴とする自動火災報知システム。
【発明の詳細な説明】
【技術分野】
【０００１】
本発明は、自動火災報知システムの親機及びそれを用いた自動火災報知システムに関する。
【背景技術】
【０００２】
従来、感知器（子機）の接続された表示線の電圧レベルを監視して火災報知する自動火災報知設備（自動火災報知システム）の火災受信機（親機）が知られている（例えば特許文献１参照）。火災受信機（親機）は、複数の表示線端子と、１つの共通線端子を備えている。表示線端子には表示線が接続され、共通線端子には共通線が接続される。複数の感知器（子機）が表示線と共通線との間に並列接続される。
【先行技術文献】
【特許文献】
【０００３】
【特許文献１】特開２０１５−１１４８９０号公報
【発明の概要】
【発明が解決しようとする課題】
【０００４】
特許文献１では、１本の共通線に２本の表示線が接続されている。自動火災報知設備（自動火災報知システム）の火災受信機（親機）では、一般的に、１本の共通線には複数の表示線が接続される。１本の共通線に接続された複数の表示線の数を確認するためには、共通線と表示線との接続状態を目視で確認する必要があった。火災受信機（親機）に接続される共通線及び表示線の数が多くなるにつれて、施工後の検査の手間が増える。
【０００５】
本発明は上記課題に鑑みてなされ、施工後の検査が容易な自動火災報知システムの親機、及びそれを用いた自動火災報知システムを提供することを目的とする。
【課題を解決するための手段】
【０００６】
本発明の自動火災報知システムの親機は、複数の表示線と共通線とからなる複数の通信路に接続され、かつ前記複数の表示線のうち１つの表示線と前記共通線とからなる前記複数の通信路のうち１つの通信路に接続された子機から送信される信号を受信する自動火災報知システムの親機であって、前記複数の表示線のそれぞれに接続される複数の表示線接続端子と、前記共通線に接続される共通線接続端子と、前記複数の表示線接続端子のそれぞれに電気的に接続され、前記複数の通信路のそれぞれの断線を検出して検出結果を出力する断線検出部と、前記断線検出部と前記共通線接続端子との間に設けられ、制御信号に応じて開閉する開閉器と、前記制御信号を出力して前記開閉器の開閉を制御する開閉制御部と、前記断線検出部の前記検出結果に基づく情報を報知する報知部と、前記開閉制御部及び前記報知部を制御する制御部とを備え、前記制御部は、前記開閉制御部に前記開閉器を閉状態にさせる通常モードと、前記開閉制御部に前記開閉器を閉状態から開状態にさせた後の前記断線検出部の前記検出結果に基づく情報を前記報知部から報知させるテストモードとを択一的に選択することを特徴とする。
【０００７】
本発明の自動火災報知システムは、上記した親機と、前記複数の表示線のうち１つの表示線と前記共通線とに接続される子機とを備えたことを特徴とする。
【発明の効果】
【０００８】
本発明の自動火災報知システムの親機によれば、施工後の検査が容易になる。
【０００９】
本発明の自動火災報知システムによれば、施工後の検査が容易になる。
【図面の簡単な説明】
【００１０】
【図１】本実施形態に係る自動火災報知システムの概略ブロック図である。
【図２】本実施形態に係る自動火災報知システムの子機の接続状態を説明する図である。
【図３】本実施形態に係る制御部の動作を説明するフローチャートである。
【発明を実施するための形態】
【００１１】
本実施形態における自動火災報知システム１００は、図１及び図２に示すように、親機１と、複数の子機２１とを備えている。図１では、親機１に複数回線（１０回線）の通信路３０（通信路３０１〜３１０）が接続されていて、それぞれの通信路３０（通信路３０１〜３１０）に１台ずつ子機２１が接続されている例を示している。親機１と複数の子機２１とは、例えばビル又は集合住宅などに設置される。自動火災報知システム１００では、子機２１が火災の発生を検知すると、火災の発生を報知する信号（以下、火災報と呼ぶ）を親機１に送信する。親機１には、例えば警報装置などが電気的に接続されている。親機１は、子機２１から火災報を受信すると警報装置を鳴動させるなどして、火災の発生を報知する動作を行うことによってビル又は集合住宅内の人に火災の発生を報知する。
【００１２】
複数の子機２１と親機１とはそれぞれ、複数の通信路３０で電気的に接続されている。通信路３０は、１本の表示線Ｌと１本の共通線Ｃとで１回線の通信路３０を構成する。複数の表示線Ｌの各々は、異なる警戒区域に対応している。複数の表示線Ｌを区別する場合には、表示線Ｌ１〜Ｌ１０と呼ぶ。複数の通信路３０を表示線Ｌ１〜Ｌ１０ごとに区別する場合には、通信路３０１〜３１０と呼ぶ。また、共通線Ｃを区別する場合には、共通線Ｃ１，Ｃ２と呼ぶ。
【００１３】
より詳細には、表示線Ｌ１〜Ｌ７と共通線Ｃ１とで７回線の通信路３０１〜３０７が形成されている。また表示線Ｌ８〜Ｌ１０と共通線Ｃ２とで３回線の通信路３０８〜３１０が形成されている。つまり本実施形態では、１０回線の通信路３０１〜３１０が親機１に接続されている。
【００１４】
ところで、１回線の通信路３０に複数台の子機２１が接続されていてもよい。図２では、一例として、２台の子機２１が接続されている例を示している。２台の子機２１は送り配線により電気的に接続されている。子機２１は、表示線Ｌ１と共通線Ｃ１との間に接続されている。以下、子機２１を子機２１１と呼び、子機２１に送り配線により接続されている子機２１を子機２１２と呼ぶ。子機２１２からの送り配線には終端抵抗２７が接続されている。したがって、終端抵抗２７は、表示線Ｌ１と共通線Ｃ１とを電気的に接続している。なお、通信路３０２〜３１０のそれぞれにおいて、複数台の子機２１が接続される場合についても同様であるため、説明を省略する。
【００１５】
終端抵抗２７は、親機１の断線検出部３が通信路３０の断線を判断するために用いられる。終端抵抗２７により、通信路３０には、印加された電圧に応じた電流が流れることになり、断線検出部３はその電流に基づいて通信路３０の断線を検知することができる。
【００１６】
以下、親機１の詳細な構成について図１を参照して説明する。
【００１７】
親機１は、複数（１１個）の表示線接続端子Ｔと、共通線接続端子Ｇと、断線検出部３と、開閉器４０と、開閉制御部７と、表示装置９１を含む報知部９と、制御部６１とを備える。また親機１は、操作部８と、判断部６２と、記憶部６３とを備えている。なお、複数の表示線接続端子Ｔを区別する場合には、表示線接続端子Ｔ１〜Ｔ１０と呼ぶ。本実施形態において、親機１は、共通線接続端子Ｇを２つ備えている。２つの共通線接続端子Ｇを区別する場合は、共通線接続端子Ｇ１，Ｇ２と呼ぶ。また、親機１は、開閉器４０を２つ備えている。２つの開閉器４０を区別する場合は、開閉器４１，４２と呼ぶ。
【００１８】
表示線接続端子Ｔ１〜Ｔ１１と、共通線接続端子Ｇ１，Ｇ２とはそれぞれ、親機１の筐体に設けられた端子台に並べて配置されていて、その筐体から外部に露出するように設けられている。
【００１９】
表示線接続端子Ｔ１〜Ｔ１０には、表示線Ｌ１〜Ｌ１０がそれぞれ接続される。本実施形態では、一例として、表示線接続端子Ｔ１１は未使用端子であり、表示線Ｌが接続されていない。表示線接続端子Ｔ１１は、例えば通信路３０の数を増やす際に、新たな表示線Ｌを接続するために用意されている。表示線接続端子Ｔ１〜Ｔ１１はそれぞれ、断線検出部３に電気的に接続されている。したがって表示線接続端子Ｔ１〜Ｔ１０は、表示線Ｌ１〜Ｌ１０と断線検出部３とをそれぞれ電気的に接続する。
【００２０】
共通線接続端子Ｇ１，Ｇ２はそれぞれ、開閉器４１，４２の一端に電気的に接続されている。開閉器４１，４２のそれぞれの他端は断線検出部３に電気的に接続されている。すなわち共通線接続端子Ｇ１，Ｇ２は、開閉器４１，４２を介して断線検出部３と電気的に接続されている。共通線接続端子Ｇ１，Ｇ２には、共通線Ｃ１，Ｃ２がそれぞれ接続されている。
【００２１】
開閉器４１，４２は、電磁駆動方式の常閉型のリレーからなる。開閉器４１，４２はそれぞれ、開閉制御部７からの制御信号ＳＮ１，ＳＮ２に応じて開閉動作する。制御信号ＳＮ１，ＳＮ２は、一例として、電流信号からなる。開閉器４１，４２はそれぞれ、ハイレベルの制御信号ＳＮ１，ＳＮ２によってコイルに生じる起磁力でリレーの可動接触子を継鉄に吸引し、可動接触子を固定接点から引き離して開状態となる。開閉器４１，４２はそれぞれ、制御信号ＳＮ１，ＳＮ２がハイレベルからローレベルになると、可動接触子を固定接点に接触させて閉状態となる。以下、開閉器４１，４２を区別しない場合は、開閉器４１，４２を「開閉器４０」と呼ぶ。また、制御信号ＳＮ１，ＳＮ２を区別しない場合は、制御信号ＳＮ１，ＳＮ２を「制御信号ＳＮ」と呼ぶ。
【００２２】
開閉制御部７は、開閉器４１，４２を開閉させるための駆動回路からなる。開閉制御部７は、制御信号ＳＮ１，ＳＮ２をそれぞれ開閉器４１，４２に出力する。開閉制御部７は、制御部６１からの開閉用制御信号に応じて制御信号ＳＮ１，ＳＮ２の出力を制御する。
【００２３】
制御部６１と、判断部６２とは、マイクロコンピュータがプログラムをメモリから読み込んで実行することにより実現される。制御部６１は、報知部９と開閉制御部７とを制御する。判断部６２は、出力線Ｄ１〜Ｄ１１を介して断線検出部３が出力した識別信号ＳＮ３（検出結果）に基づいて判断動作を行い、判断結果Ｒ１を制御部６１に出力する。なお、制御部６１と判断部６２との詳細な動作、及び判断結果Ｒ１の内容については後述する。
【００２４】
断線検出部３は、表示線接続端子Ｔ１〜Ｔ１０を流れる電流に基づいて通信路３０１〜３１０の断線を検出する。断線検出部３は判断部６２に電気的に接続される出力線Ｄ１〜Ｄ１１を有する。断線検出部３は、例えば、表示線接続端子Ｔ１〜Ｔ１０の電流に基づいて、出力線Ｄ１〜Ｄ１０に電圧信号を出力する。断線検出部３は、表示線接続端子Ｔ１〜Ｔ１０の電流が基準値を超えている場合は、表示線接続端子Ｔ１〜Ｔ１０に対応する出力線Ｄ１〜Ｄ１０からハイレベルの電圧信号を判断部６２に出力する。一方、断線検出部３は、表示線接続端子Ｔ１〜Ｔ１０の電流が基準値以下である場合は、出力線Ｄ１〜Ｄ１０からローレベルの電圧信号を判断部６２に出力する。例えば、通信路３０１が断線して電流値がゼロとなる場合、断線検出部３は、出力線Ｄ１からローレベルの電圧信号を出力する。判断部６２は、出力線Ｄ１からローレベルの電圧信号が入力されると、表示線接続端子Ｔ１に接続されている通信路３０１が断線していると判断する。以下、断線検出部３が、出力線Ｄ１〜Ｄ１１から判断部６２に出力する電圧信号のことを「識別信号ＳＮ３」と呼ぶ。言い換えると、判断部６２は、識別信号ＳＮ３に基づいて複数の通信路３０１〜３１０のうち断線した通信路３０を識別することができる。本実施形態では、出力線Ｄ１〜Ｄ１１のそれぞれから判断部６２に出力される識別信号ＳＮ３を区別する場合は、識別信号ＳＮ３０１〜ＳＮ３１１と呼ぶ。なお、図１では、識別信号ＳＮ３０１〜ＳＮ３１１の図示を省略し、識別信号ＳＮ３として図示している。
【００２５】
報知部９は、制御部６１からの報知用制御信号に応じて表示装置９１の表示内容を制御する。表示装置９１は、例えば液晶ディスプレイで構成される。報知部９は、例えば表示装置９１を動作させるための液晶ディスプレイ用の駆動回路を有する。
【００２６】
操作部８は、タッチパネル又はスイッチからなる。スイッチは、例えば押釦スイッチやトグルスイッチなどである。操作部８は、操作内容に応じた操作信号を制御部６１に出力する。操作部８は、少なくとも「通常モード」と「テストモード」とを択一的に選択できるように構成されており、その選択操作に応じた操作信号を制御部６１に出力するように構成されている。
【００２７】
以下、制御部６１と判断部６２との詳細な動作について図３を参照して説明する。
【００２８】
制御部６１は、起動が完了すると通常モードを選択する（Ｓ１）。「通常モード」とは、子機２１からの火災報を受信すると、報知動作を行うモードである。
【００２９】
施工時、又は子機２１を親機１に新たに追加する作業時に、作業者が操作部８を操作して通常モードからテストモードに切り換える操作を行う。操作部８は、動作モードが通常モードからテストモードに切り換えられたことを通知する切換信号を制御部６１に出力する。制御部６１は、その切換信号に応じて、動作モードとしてテストモードを選択する（Ｓ２）。「テストモード」とは、開閉器４１，４２をそれぞれ開閉させて、断線検出部３に複数の通信路３０１〜３１０のそれぞれの断線を検知させることにより、識別信号ＳＮ３を断線検出部３から判断部６２に出力させる動作モードである。テストモードにおける制御部６１は、開閉用制御信号を開閉制御部７に出力する。開閉制御部７は、開閉用制御信号に応じて、制御信号ＳＮ１と制御信号ＳＮ２とを順番に出力する。
【００３０】
開閉制御部７がハイレベルの制御信号ＳＮ１を出力して開閉器４１を開状態にする（Ｓ３）。以下、開閉制御部７が開閉器４１を開閉させたときの動作について説明する。
【００３１】
開閉器４１が開状態になると、通信路３０１〜３０７が断線状態となる。そのため、表示線接続端子Ｔ１〜Ｔ７と共通線接続端子Ｇ１とを流れる電流がゼロとなる。よって、断線検出部３は、ハイレベルの識別信号ＳＮ３０１〜ＳＮ３０７を判断部６２に出力する。判断部６２は、識別信号ＳＮ３０１〜ＳＮ３０７に基づいて通信路３０１〜３０７の断線を識別する。また判断部６２は、識別信号ＳＮ３０１〜ＳＮ３０７に基づいて、断線した通信路３０の数（断線数）を検出する（Ｓ４）。
【００３２】
判断部６２（図１参照）は、複数の通信路３０のうち断線した通信路３０の数が所定数（８つ）以上か否かを判断し（Ｓ５）、判断結果Ｒ１（図１参照）を制御部６１に出力する。本実施形態では、所定数を８つに定めている。例えば、日本国の自動化火災報知設備に関する基準では、「感知器回線の配線について共通線を設ける場合、共通線は、７警戒区域以下とすること。」と規定されている。なお、この所定数は８に限定されず、任意の数に定めてもよい。
【００３３】
判断結果Ｒ１には、断線した通信路３０の数を示す数信号と、断線した通信路３０が電気的に接続されている表示線接続端子Ｔ１〜Ｔ１０の端子番号を通知する番号通知信号と、警告通知信号とが含まれる。警告通知信号とは、断線した通信路３０の数が８以上である場合に判断部６２から出力される信号である。一方、判断部６２は、断線した通信路３０の数が８つ未満である場合には、警告通知信号を出力しない。制御部６１は、警告通知信号が入力されない場合には、警告情報を記憶部６３に保持させない（Ｓ５：Ｎｏ）。
【００３４】
判断部６２は、共通線Ｃ１が接続されている共通線接続端子Ｇ１を示す端子番号を記憶部６３に保持させる（Ｓ７）。判断部６２は、断線した通信路３０の数を記憶部６３に保持させる（Ｓ８）。判断部６２は、通信路３０１〜３０７の表示線Ｌ１〜Ｌ７がそれぞれ接続されている表示線接続端子Ｔ１〜Ｔ７を示す端子番号をそれぞれ記憶部６３に保持させる（Ｓ９）。
【００３５】
制御部６１は、開閉用制御信号を出力して、開閉制御部７からローレベルの制御信号ＳＮ１を開閉器４１に出力させる。開閉器４１はローレベルの制御信号ＳＮ１に応じて閉状態となる（Ｓ１０）。
【００３６】
制御部６１は、複数の共通線接続端子Ｇに一対一で対応する複数の開閉器４０のうち、テストモードにおいて開閉動作させていない開閉器４０があるか否かを判断する（Ｓ１１）。本実施形態では、制御部６１は、テストモードにおいて開閉器４２を開閉動作させていないと判断し（Ｓ１１：Ｙｅｓ）、開閉器４２を開状態にさせる開閉用制御信号を開閉制御部７に出力する。言い換えると、制御部６１は、複数の共通線接続端子Ｇに一対一で対応する複数の開閉器４０を１つずつ開閉させるように開閉用制御信号を開閉制御部７に出力する。以下、制御部６１は、複数の共通線接続端子Ｇに一対一で対応する複数の開閉器４０を全て開閉動作させるまで、上記したＳ３〜Ｓ１１を繰り返す。
【００３７】
制御部６１は、複数の開閉器４０を全て開閉動作させたと判断すると（Ｓ１１：Ｎｏ）、報知部９に表示用制御信号を出力する。報知部９は、表示用制御信号に応じて、判断結果Ｒ１と、記憶部６３に保持させた端子番号と、警告情報とをテスト結果として表示装置９１に表示させる。報知部９は、記憶部６３に保持させた端子番号に基づいて、共通線接続端子Ｇ１に表示線接続端子Ｔ１〜Ｔ７が電気的に接続されていることを表示装置９１に表示させる。また報知部９は、共通線Ｃ１に接続されている表示線Ｌの数が７本であることを表示装置９１に表示させる。報知部９は、記憶部６３に保持させた端子番号に基づいて、共通線接続端子Ｇ２に表示線接続端子Ｔ８〜Ｔ１０が電気的に接続されていることを表示装置９１に表示させる。また報知部９は、共通線Ｃ２に接続されている表示線Ｌの数が３本であることを表示装置９１に表示させる（Ｓ１２）。図１に示した例では、共通線接続端子Ｇ１，Ｇ２にそれぞれ接続されている表示線Ｌの本数はそれぞれ７本、３本であるため、警告情報は表示装置９１に表示されない。
【００３８】
制御部６１は、表示用制御信号を出力した後に、動作モードとして通常モードを選択する（Ｓ１３）。
【００３９】
ところで、親機１及び子機２１を配置する施工時、又は子機２１を追加する時に、共通線Ｃ１，Ｃ２のそれぞれに対して接続される表示線Ｌの本数は７本以下にしたい場合がある。例えば、１本の共通線Ｃに接続される表示線Ｌの本数の上限が、法令などで７本に定められている場合などである。一方、作業者が子機２１を通信路３０に電気的に接続する際に、誤って１本の共通線Ｃに対して、表示線Ｌを８本以上接続する可能性がある。例えば、未使用端子である表示線接続端子Ｔ１１と共通線Ｃ１とに新たに通信路３０を追加すると、共通線Ｃ１には８本の表示線Ｌが電気的に接続される。言い換えると、共通線Ｃ１が８回線の通信路３０で使用されることになる。従来の自動火災報知設備（自動火災報知システム）の火災受信機（親機）においては、作業者が、共通線に接続された表示線が７本以下であることを確認するために、共通線と表示線との接続状態を目視で確認する必要があった。
【００４０】
本実施形態では、テストモードにおける判断部６２は、断線した通信路３０の数が８回線以上である場合には（Ｓ５：Ｙｅｓ）、警告通知信号を制御部６１に出力する。制御部６１は、警告通知信号が入力されると、警告情報を記憶部６３に保持させる（Ｓ６）。警告情報とは、一例として、共通線Ｃ１に８本以上の表示線Ｌが接続されていることを知らせる文字列情報である。
【００４１】
テストモードにおける判断部６２のＳ５の動作と、制御部６１のＳ６，Ｓ１２の動作によって、共通線Ｃ１に接続された表示線Ｌが８本以上である場合に警告情報が表示装置９１から表示される。そのため作業者は、操作部８でテストモードを選択した後に表示装置９１を見て、警告情報が表示されていないことを確認することにより、共通線Ｃ１に接続された表示線Ｌが７本以下であることを確認することができる。そのため、共通線Ｃに接続されている複数の表示線Ｌの数を確認する作業者の手間が軽減される。また、本実施形態では、テストモードのテスト結果として、表示装置９１に、それぞれの共通線Ｃ１，Ｃ２に接続されている表示線Ｌの数が表示されるので、どの共通線Ｃに何本まで表示線Ｌを接続できるかがわかりやすい。また、共通線Ｃ１，Ｃ２にそれぞれ電気的に接続されている表示線接続端子Ｔの端子番号が表示されるので、未使用の表示線接続端子Ｔを見分けやすくなる。例えば、子機２１を追加するために新たな通信路３０を親機１に接続する際に、テスト結果から、作業者は、表示線接続端子Ｔ１１が未使用端子であるとわかる。そのため、作業者は、新たな通信路３０の表示線Ｌの接続先を表示線接続端子Ｔ１１に決めやすくなる。また、作業者は、共通線Ｃ１に接続されている表示線Ｌの接続本数が７本であることがわかるため、新たな通信路３０を、共通線Ｃ１ではなく共通線Ｃ２に接続すればよいことがわかる。
【００４２】
以上説明したように、本実施形態における自動火災報知システム１００の親機１は、複数の表示線接続端子Ｔと、共通線接続端子Ｇと、断線検出部３と、開閉器４０と、開閉制御部７と、報知部９と、制御部６１とを備える。親機１は、複数の表示線Ｌと共通線Ｃとからなる複数の通信路３０に接続される。親機１は、複数の表示線Ｌのうち１つの表示線Ｌと共通線Ｃとからなる複数の通信路３０のうち１つの通信路３０に接続された子機２１から送信される信号（本実施形態では火災報）を受信する。複数の表示線接続端子Ｔは、複数の表示線Ｌのそれぞれに接続される。共通線接続端子Ｇは、共通線Ｃに接続される。断線検出部３は、複数の表示線接続端子Ｔのそれぞれに電気的に接続され、複数の通信路３０のそれぞれの断線を検出して検出結果（本実施形態では識別信号ＳＮ３）を出力する。開閉器４０は、断線検出部３と共通線接続端子Ｇとの間に設けられ、制御信号ＳＮに応じて開閉する。開閉制御部７は、制御信号ＳＮを出力して開閉器４０の開閉を制御する。報知部９は、断線検出部３の検出結果に基づく情報（本実施形態では識別信号ＳＮ３に含まれる情報）を報知する。制御部６１は、開閉制御部７及び報知部９を制御する。制御部６１は、開閉制御部７に開閉器４０を閉状態にさせる通常モードと、開閉制御部７に開閉器４０を閉状態から開状態にさせた後の断線検出部３の検出結果に基づく情報を報知部９から報知させるテストモードとを択一的に選択する。
【００４３】
上記構成によれば、テストモードにおける制御部６１は、開閉制御部７に開閉器４０を開閉させる。開閉器４０が開状態になって通信路３０が断線状態になったことを断線検出部３が検出して検出結果（識別信号ＳＮ３）を出力する。制御部６１は、出力結果（識別信号ＳＮ３）に基づく情報を報知部９から報知させる。テストモードにおける制御部６１の動作により、報知部９の報知結果に基づいて、作業者は、共通線Ｃに接続されている表示線Ｌの接続状態を確認することができる。言い換えると、本実施形態の自動火災報知システム１００の親機１において、施工後の検査が容易になる。
【００４４】
本実施形態の親機１は、判断部６２をさらに備えることが好ましい。判断部６２は断線検出部３の検出結果に基づいて、複数の表示線Ｌのうち共通線Ｃに接続されている複数の表示線Ｌの数が所定値（本実施形態では８）以上であるか否かを判断して判断結果Ｒ１を制御部６１に出力する。制御部６１は、判断結果Ｒ１を報知部９から報知させる。
【００４５】
上記構成によれば、判断部６２が、共通線Ｃに接続されている複数の表示線Ｌの数が所定値（本実施形態では８）以上である場合に、判断結果Ｒ１が報知部９から報知される。そのため、作業者は、報知部９の報知結果を確認するだけで、共通線Ｃに接続されている複数の表示線Ｌの数が所定値以下であることを確認できる。
【００４６】
本実施形態の親機１は、共通線接続端子Ｇ及び開閉器４０を複数（本実施形態では２つ）ずつ備えることが好ましい。各共通線接続端子Ｇ１，Ｇ２と各開閉器４１，４２とが一対一で接続されている。制御部６１は、各開閉器４１，４２を１つずつ開閉制御部７に開閉させ、各開閉器４１，４２の開閉に基づく断線検出部３の検出結果を報知部９から報知させる。
【００４７】
上記構成によれば、共通線接続端子Ｇが複数あっても、制御部６１は、テストモードを１回選択するだけで、全ての通信路３０と共通線接続端子Ｇとの接続関係を報知部９から報知させることができる。ここで言う接続関係とは、それぞれの共通線Ｃに接続されている複数の表示線Ｌの接続状態のことである。言い換えると、接続関係とは、それぞれの共通線接続端子Ｇと複数の表示線接続端子Ｔとの電気的な接続状態のことである。
【００４８】
本実施形態の親機１において、断線検出部３は、複数の通信路３０のうち断線を検出した通信路３０に対応する識別信号ＳＮ３を出力する。制御部６１は、複数の表示線接続端子Ｔのうち識別信号ＳＮ３に対応する通信路３０に電気的に接続されている表示線接続端子Ｔを報知部９から報知させることが好ましい。
【００４９】
上記構成によれば、報知部９からの報知結果に基づいて、作業者は、複数の通信路３０のうち互いに共通する共通線Ｃに、どの表示線接続端子Ｔが電気的に接続されているかを確認できる。
【００５０】
本実施形態の親機１において、断線検出部３は、複数の通信路３０のうち断線を検出した通信路３０の数を出力し、制御部６１は、その数を報知部９から報知させることが好ましい。
【００５１】
上記構成によれば、報知部９からの報知結果に基づいて、作業者は、何回線の通信路３０が互いに共通する共通線Ｃに電気的に接続されているかを確認できる。
【００５２】
本実施形態の親機１において、報知部９は、表示装置９１を含むことが好ましい。
【００５３】
上記構成によれば、作業者は、表示装置９１の表示内容を見ることによって報知部９の報知内容を確認できる。
【００５４】
本実施形態の親機１は、操作部８をさらに備え、制御部６１は、操作部８での操作に応じて通常モードとテストモードとを択一的に選択することが好ましい。
【００５５】
上記構成によれば、作業者は、操作部８を操作することによって、制御部６１の動作モードを通常モード又はテストモードに選択することができる。
【００５６】
本実施形態の自動火災報知システム１００は、上記した親機１と、複数の表示線Ｌのうち１つの表示線Ｌと共通線Ｃとに接続される子機２１とを備えている。
【００５７】
上記構成によれば、施工後の検査が容易な自動火災報知システム１００を実現できる。
【００５８】
ところで、子機２１の構成の一例として、子機２１は、センサと、子機側制御部と、子機側記憶部と、送信回路とを備えている。センサは、例えば温度、又は煙の濃度、又は二酸化炭素などのガス濃度に応じた検知信号を子機側制御部に出力する。子機側記憶部には、検知信号に対する閾値情報が記憶されている。送信回路は、通信路３０に電気的に接続されている。送信回路は、一例として通信路３０を短絡して火災報を送信する。例えば子機２１１の送信回路は、表示線Ｌと共通線Ｃとを短絡して火災報を送信する。子機側制御部は、検知信号に含まれる値が閾値情報の値を超えた場合に、送信回路から火災報を送信させる。
【００５９】
本実施形態では子機側制御部は、送信回路に通信路３０を短絡させて火災報を送信させるが、この構成に限定される趣旨ではない。例えば子機２１は、親機１に任意のデータを送信できるように構成されている場合には、火災の発生を報知する信号を親機１に送信するように構成されていてもよい。
【００６０】
なお、本実施形態における表示線接続端子Ｔと、共通線接続端子Ｇと、開閉器４０と、子機２１との数はそれぞれ、一例であり、本実施形態で示した数に限定されない。同様に、通信路３０をなす表示線Ｌと、共通線Ｃと、出力線Ｄ１〜Ｄ１１の数も一例であり、本実施形態で示した数に限定されない。
【００６１】
本実施形態では、断線検出部３の検出結果を識別信号ＳＮ３として判断部６２に出力しているが、この構成に限定されない。断線検出部３の検出結果には、断線した通信路３０の表示線接続端子Ｔの端子番号に関する情報が含まれていなくてもよい。また、断線検出部３の検出結果には、断線した通信路３０の表示線接続端子Ｔの数に関する情報が含まれていなくてもよい。例えば、制御部６１は、断線検出部３の検出結果に応じて変化する電圧値又は電流値などに基づいて、断線検出部３の検出結果に対応する所望の情報を報知部９から報知させてもよい。
【００６２】
本実施形態において断線検出部３は、判断部６２に検出結果（識別信号ＳＮ３）を出力しているが、この構成に限定される趣旨ではない。断線検出部３は、例えば制御部６１に検出結果（識別信号ＳＮ３）を出力するように構成されていてもよい。その場合、制御部６１が判断部６２に相当する機能を有していてもよい。あるいは、制御部６１は、制御部６１が判断部６２に相当する機能を有していなくても、検出結果（識別信号ＳＮ３）に基づく情報を報知部９から報知させるように構成されていればよい。
【００６３】
識別信号ＳＮ３は、１１本の出力線Ｄ１〜Ｄ１１で出力されることに限定されず、適宜の本数の電路に出力されてもよい。また識別信号ＳＮ３は、シリアル方式又はパラレル方式などの適宜の通信方式に基づく通信フォーマットでよい。
【００６４】
本実施形態では、判断部６２が、断線検出部３の識別信号ＳＮ３に含まれる断線した表示線Ｌの本数（断線した通信路３０の回線数）と比較する所定値を８とした例を示したが、所定値は８に限定されず、適宜の値に定められてもよい。
【００６５】
判断部６２は、本実施形態で示した他にも、少なくとも断線検出部３の検出結果に基づいて共通線Ｃに接続されている複数の表示線Ｌの数が所定値以上であるか否かを判断して判断結果Ｒ１を制御部６１に出力するように構成されていればよい。
【００６６】
本実施形態では、判断結果Ｒ１に含まれる番号通知信号は、断線した通信路３０が電気的に接続されている表示線接続端子Ｔの端子番号を通知できればよく、数値情報以外に、例えば文字列情報などでもよい。
【００６７】
本実施形態におけるテストモードの制御部６１の動作において、Ｓ６〜Ｓ９の実行順序は一例であり、Ｓ６〜Ｓ９の実行順序は適宜変更可能である。またＳ１２に続いてＳ１３に進む他にも、Ｓ１２の後に操作部８から任意の操作が入力された場合にＳ１３に進むように構成されていてもよい。
【００６８】
本実施形態における警告情報は文字列情報であるが、数値情報でもよい。
【００６９】
本実施形態における開閉器４１，４２は、電磁駆動方式のリレーであるが、他の例として、ＭＯＳＦＥＴ（metal-oxide-semiconductor field-effect transistor）を用いた半導体リレーでもよい。他にも例えば、開閉器４１，４２は、絶縁ゲートバイポーラトランジスタなどのトランジスタを用いた半導体リレーでもよい。
【００７０】
本実施形態における制御信号ＳＮ１，ＳＮ２は電流信号であるが、電圧信号でもよい。
【００７１】
本実施形態における報知部９は、表示装置９１を制御する駆動回路を有しているが、表示装置９１を制御することに限定されず、例えばスピーカから音声情報などの音を発生させる音声制御回路などを有してもよい。つまり報知部９は、音、又は音声などにより断線検出部３の検出結果を報知するように構成されていてもよい。
【００７２】
表示装置９１は液晶ディスプレイの他にも、例えば有機エレクトロルミネッセンスディスプレイなどでもよい。また表示装置９１は、感圧式や静電容量方式のタッチパネルでもよい。その場合、表示装置９１が操作部８を兼ねてもよい。
【００７３】
また表示装置９１は、他の例として、複数のＬＥＤ（Light Emitting Diode）を有し、それぞれのＬＥＤの点灯状態又は消灯状態によって、制御部６１からの表示用制御信号に基づく表示を行うように構成されていてもよい。他にも例えば、表示装置９１は、７セグメントディスプレイなどで構成されていてもよい。
【符号の説明】
【００７４】
１  親機
１００  自動火災報知システム
２１  子機
３  断線検出部
３０  通信路
４０  開閉器
６１  制御部
６２  判断部
７  開閉制御部
８  操作部
９  報知部
９１  表示装置
Ｃ  共通線
Ｇ  共通線接続端子
Ｌ  表示線
Ｒ１  判断結果
ＳＮ  制御信号
ＳＮ３  識別信号（検出結果）
Ｔ  表示線接続端子
【図１】
0006507450.tif 000002
【図２】
0006507450.tif 000003
【図３】
0006507450.tif 000004